(57)【要約】【課題】撮影者自身を含む被写体を容易に撮影する。【解決手段】被写体光を撮像する撮像部３０と、前記撮像部からの撮像信号に基づいてスルー画像を表示する表示部１０と、前記スルー画像に含まれる被写体像の変化を検出するための領域を前記表示部において指定する領域指定部２０と、前記被写体像の変化を検出するための領域内に表示された被写体像の変化を検出する検出部２０と、前記検出部により検出した被写体像の変化により所定の条件が満たされたか否かを判定する判定部２０と、前記判定部により前記所定の条件が満たされたと判定した場合に撮影開始の指示を行う撮像制御部２０とを備える。【選択図】図２
2013214882.tif 000002
【特許請求の範囲】
【請求項１】
被写体光を撮像する撮像部と、
前記撮像部からの撮像信号に基づいてスルー画像を表示する表示部と、
前記スルー画像に含まれる被写体像の変化を検出するための領域を前記表示部において指定する領域指定部と、
前記被写体像の変化を検出するための領域内に表示された被写体像の変化を検出する検出部と、
前記検出部により検出した被写体像の変化により所定の条件が満たされたか否かを判定する判定部と、
前記判定部により前記所定の条件が満たされたと判定した場合に撮影開始の指示を行う撮像制御部と
を備えることを特徴とする撮像装置。
【請求項２】
前記撮影開始の指示は、前記撮像部による撮像の指示、または前記撮像部により撮像を行うためのセルフタイマーを作動させる指示であることを特徴とする請求項１記載の撮像装置。
【請求項３】
前記所定の条件は、前記被写体像の変化を検出するための領域内に人物像が表示されたこと、前記被写体像の変化を検出するための領域内に表示されている人物像の顔が笑顔になったこと、及び前記被写体像の変化を検出するための領域内に表示されている人物像が正面を向いたことの中の少なくとも一つであることを特徴とする請求項１または２記載の撮像装置。
【請求項４】
人物の特徴に関する情報を記憶する特徴記憶部を備え、
前記撮像制御部は、前記人物の特徴を備えた人物像について前記所定の条件が満たされた場合に撮影開始の指示を行うことを特徴とする請求項３記載の撮像装置。
【請求項５】
前記撮像部により前記セルフタイマーを作動させる指示が行われた場合に発光する発光部と、
前記所定の条件が複数存在する場合において、前記所定の条件が一つ満たされる毎に前記発光部の発光態様を変更する発光制御部と
を備えることを特徴とする請求項２〜４の何れか一項に記載の撮像装置。
【請求項６】
前記所定の条件が満たされない場合、前記所定の条件を満たすために必要な情報を報知する報知部を備えることを特徴とする請求項１〜５の何れか一項に記載の撮像装置。
【請求項７】
前記報知部は、前記所定の条件を満たすために必要な情報を音声により出力する音声出力部、または前記所定の条件を満たすために必要な情報を前記表示部に表示させる表示制御部を備えることを特徴とする請求項６記載の撮像装置。
【請求項８】
前記撮像制御部は、前記撮影開始の指示に基づく撮像の終了後に、前記被写体像の変化を検出するための領域内に表示された被写体像に特定の動作変化があった場合において、再度の前記撮影開始の指示、前記撮影開始の指示の取消し、及び前記検出部による検出の中止の中の何れか一つを行うことを特徴とする請求項１〜７の何れか一項に記載の撮像装置。
【請求項９】
前記所定の条件の内容を表示するアイコンの画像データを記憶するアイコン記憶部と、
前記表示部において前記アイコン記憶部に記憶されている画像データに基づくアイコンを表示するアイコン表示制御部と、
前記被写体像の変化を検出するための領域に対して前記アイコンにより表示された前記所定の条件を関連付ける情報制御部とを備え、
前記領域指定部は、操作者の操作により前記アイコンが移動した位置に基づいて前記被写体像の変化を検出するための領域を指定することを特徴とする請求項１〜８の何れか一項に記載の撮像装置。
【請求項１０】
前記表示部において前記所定の条件を満たさない被写体像が表示されているか否かを判定する判定部と、
前記判定部により前記所定の条件を満たさない被写体像が表示されていると判定した場合において、前記所定の条件の内容を表示するアイコンの画像データを前記アイコン記憶部から選定する選定部とを備え、
前記アイコン表示制御部は、前記選定部により選定されたアイコンを前記表示部において表示することを特徴とする請求項９記載の撮像装置。
【請求項１１】
前記選定部は、前記表示部において表示された頻度の高いアイコンの画像データを頻度順に所定の個数選定することを特徴とする請求項１０記載の撮像装置。
【請求項１２】
前記スルー画像の構図が変化した場合において、前記スルー画像の構図の変化に対応させて前記被写体像の変化を検出するための領域を変更する領域制御部を備えることを特徴とする請求項１〜１１の何れか一項に記載の撮像装置。
【請求項１３】
前記被写体像の変化を検出するための領域の変更は、前記被写体像の変化を検出するための領域の位置を移動させること及び前記被写体像の変化を検出するための領域のサイズを変更することの中の少なくとも一つであることを特徴とする請求項１２記載の撮像装置。
【請求項１４】
前記表示部の表面を指示する指示部材が前記表示部に接触したことを検出するタッチパネルを備え、
前記領域指定部は、前記タッチパネルによる前記指示部材の接触の検出に基づいて前記被写体像の変化を検出するための領域を指定することを特徴とする請求項１〜１３の何れか一項に記載の撮像装置。
【発明の詳細な説明】
【技術分野】
【０００１】
本発明は、撮像装置に関するものである。
【背景技術】
【０００２】
従来、撮影者自身を被写体として含む集合写真を撮影することができる撮像装置が知られている（例えば、特許文献１参照）。
【先行技術文献】
【特許文献】
【０００３】
【特許文献１】特開２０１０−１４１６０９号公報
【発明の概要】
【発明が解決しようとする課題】
【０００４】
しかし、上述の撮像装置では、事前に集合写真の構図を決定するための仮撮影を行う必要があり、撮影において手間がかかるという問題があった。
【０００５】
本発明の目的は、撮影者自身を含む被写体を容易に撮影することができる撮像装置を提供することである。
【課題を解決するための手段】
【０００６】
本発明の撮像装置は、被写体光を撮像する撮像部と、前記撮像部からの撮像信号に基づいてスルー画像を表示する表示部と、前記スルー画像に含まれる被写体像の変化を検出するための領域を前記表示部において指定する領域指定部と、前記被写体像の変化を検出するための領域内に表示された被写体像の変化を検出する検出部と、前記検出部により検出した被写体像の変化により所定の条件が満たされたか否かを判定する判定部と、前記判定部により前記所定の条件が満たされたと判定した場合に撮影開始の指示を行う撮像制御部とを備えることを特徴とする。
【発明の効果】
【０００７】
本発明の撮像装置によれば、撮影者自身を含む被写体を容易に撮影することができる。
【図面の簡単な説明】
【０００８】
【図１】第１の実施の形態に係る電子カメラの前面及び背面を示す図である。
【図２】第１の実施の形態に係る電子カメラのシステム構成を示すブロック図である。
【図３】第１の実施の形態に係る電子カメラにより集合写真を撮影する状態を示す図、及びＬＣＤ表示部において撮影者により指定された領域を示す図である。
【図４】第１の実施の形態に係る電子カメラにより集合写真を撮影する状態を示す図、及びＬＣＤ表示部において撮影者により指定された領域を示す図である。
【図５】第１の実施の形態に係る電子カメラにより集合写真を撮影する状態を示す図、及びＬＣＤ表示部において撮影者により指定された領域を示す図である。
【図６】第１の実施の形態に係る電子カメラにより集合写真を撮影する状態を示す図、及びＬＣＤ表示部において撮影者により指定された領域を示す図である。
【図７】第２の実施の形態に係る電子カメラにより集合写真を撮影する状態を示す図、及びＬＣＤ表示部において撮影者により指定された領域を示す図である。
【図８】第２の実施の形態に係る電子カメラにより集合写真を撮影する状態を示す図、及びＬＣＤ表示部において撮影者により指定された領域を示す図である。
【図９】第２の実施の形態に係る電子カメラにより集合写真を撮影する状態を示す図、及びＬＣＤ表示部において撮影者により指定された領域を示す図である。
【図１０】第２の実施の形態に係る電子カメラにより集合写真を撮影する状態を示す図、及びＬＣＤ表示部において撮影者により指定された領域を示す図である。
【図１１】実施の形態に係る電子カメラにより集合写真を撮影する状態を示す図、及びＬＣＤ表示部において撮影者により指定された領域を示す図である。
【図１２】実施の形態に係る電子カメラにより集合写真を撮影する状態を示す図、及びＬＣＤ表示部において撮影者により指定された領域を示す図である。
【発明を実施するための形態】
【０００９】
以下、図面を参照して本発明の第１の実施の形態に係る撮像装置について電子カメラを例に説明する。図１（ａ）は、第１の実施の形態に係る電子カメラの前面を示す図であり、図１（ｂ）は、背面を示す図である。電子カメラ２は、金属やプラスチックからなる筐体４を備え、筐体４の前面には、被写体光を撮像素子３０（図２参照）に導く撮影レンズ６が設けられている。また、筐体４の上面には、レリーズ指示を行うシャッタボタン８が設けられ、背面には、スルー画像等を表示するＬＣＤ表示部１０が設けられている。
【００１０】
図２は、第１の実施の形態に係る電子カメラ２のシステム構成を示すブロック図である。電子カメラ２は、ＣＰＵ２０を備え、ＣＰＵ２０には、シャッタボタン８等を備える操作部２２、ＬＣＤ表示部１０の表示を制御する表示制御部２４、ＬＣＤ表示部１０において指等の接触の位置を検出するタッチパネル２６、被写体を撮影するための撮像素子３０、撮像素子３０による撮影を開始するまでの時間（以下、タイマー時間という。）をカウントするセルフタイマー３２、セルフタイマー３２の作動時において点滅するセルフタイマーランプ３４、撮像素子３０により撮影した画像の画像データを記憶する記憶部３６、ＬＣＤ表示部１０において指等が接触した位置の周囲に表示する枠の枠データ等を記憶する情報記憶部３７、画像データを記憶するメモリカード３８が接続されている。
【００１１】
次に、図面を参照して第１の実施の形態に係る電子カメラ２の処理について説明する。まず、図３（ａ）に示すように、集合写真を撮影するために所定の位置において電子カメラ２が三脚４０に固定され、タッチパネル２６の操作により集合写真を撮影する集合写真モードが設定されると、ＣＰＵ２０は、撮像素子３０によりスルー画像の撮影を開始する。次に、撮影者Ａにより、ＬＣＤ表示部１０において表示されるスルー画像が図３（ｂ）に示すような構図になるように画角等の調整が行われる。ここで、画角等の調整は、撮影者Ａが人物Ｂの隣の位置Ｘに移動してから集合写真を撮影することを考慮して行われる。
【００１２】
次に、図３（ｂ）に示すように、ＬＣＤ表示部１０において、人物Ｂの隣の位置Ｘ（図３（ａ）参照）の位置が指等によりタッチされると、ＣＰＵ２０は、情報記憶部３７から枠データを読み出し、タッチされた位置の周囲に枠データに基づく枠４２を表示する。これにより、枠４２に囲まれた領域４４が人物像を検出するための領域として指定される。次に、撮影者Ａによりシャッタボタン８が押下されると、ＣＰＵ２０は、領域４４において人物像の検出を開始する。
【００１３】
図４（ａ）に示すように、撮影者Ａが電子カメラ２から離れて人物Ｂの隣の位置Ｘに移動すると、図４（ｂ）に示すようなスルー画像がＬＣＤ表示部１０において表示される。この場合に、ＣＰＵ２０は、領域４４において撮影者Ａの人物像を検出する。次に、ＣＰＵ２０は、領域４４において人物像を検出したことを撮影開始条件として、セルフタイマー３２を起動してタイマー時間のカウントを開始すると共にセルフタイマーランプ３４を点滅させる。なお、タイマー時間は撮影者が任意に、例えば５秒のように設定することができる。
【００１４】
次に、セルフタイマー３２の起動時から所定のタイマー時間が経過すると、ＣＰＵ２０は、撮像素子３０により静止画像の撮影を行う。これにより、図４（ｂ）に示すような、撮影者Ａ自身が被写体として含まれた集合写真の画像の画像データがメモリカード３８に記憶される。
【００１５】
静止画像の撮影が完了すると、ＣＰＵ２０は、領域４４に表示されている人物像について特定の動作変化があったか否かの検出を開始する。そして、特定の動作変化があった場合に動作パターンに基づいて電子カメラ２の制御を行う。例えば、図５（ａ）に示すように、人物Ｂの隣に位置する撮影者Ａが左手を上げたとする。この場合、図５（ｂ）に示すように、ＬＣＤ表示部１０の領域４４において表示されている撮影者Ａの人物像が左手を上げた人物像に変化する。ＣＰＵ２０は、この動作変化を検出することにより、再びセルフタイマー３２を起動してタイマー時間のカウントを開始する。また、セルフタイマーランプ３４を点滅させ、所定のタイマー時間経過後に静止画像の撮影を行う。
【００１６】
また、図６（ａ）に示すように、人物Ｂの隣に位置する撮影者Ａが両手を上げたとする。この場合、図６（ｂ）に示すように、ＬＣＤ表示部１０の領域４４において表示されている撮影者Ａの人物像が両手を上げた人物像に変化する。ＣＰＵ２０は、この動作変化を検出することにより集合写真モードを終了する。
【００１７】
この第１の実施の形態に係る電子カメラ２によれば、領域４４において人物像が検出された場合にセルフタイマー撮影が開始されるため、撮影者自身を被写体として含む集合写真を容易に撮影することができる。また、撮影の準備が整う前に撮影が開始されることがないため、的確なタイミングで集合写真を撮影することができる。
【００１８】
また、領域４４の周囲には枠４２が表示されるため、撮影者Ａは、ＬＣＤ表示部１０において自分が移動すべき位置を容易に確認することができる。これにより、撮影者Ａが認識している領域と異なる領域において人物像が検出され、セルフタイマー撮影が開始されるような誤作動を防止することができる。また、スルー画像において人物を検出する領域を限定するため、検出処理時におけるＣＰＵ２０の負荷を軽減することができる。また、電子カメラ２が操作用リモコンにより操作を行うことができない場合であっても、撮影者Ａは、特定の動作を行うことにより電子カメラ２を遠隔操作することができる。
【００１９】
次に、図面を参照して第２の実施の形態に係る電子カメラの処理について説明する。この第２の実施の形態に係る電子カメラは、ＬＣＤ表示部１０において撮影開始条件の内容を表示するアイコンを表示し、アイコンを移動させることにより領域を指定するようにしたものである。そして、指定された領域に対してアイコンに表示されている撮影開始条件を関連付けるようにしたものである。従って、第２の実施の形態では、第１の実施の形態と異なる処理について詳細に説明し、重複する部分については適宜説明を省略する。
【００２０】
まず、図７（ａ）に示すように、電子カメラ２００が三脚４０に固定され集合写真モードが設定されると、ＣＰＵ２０は、撮像素子３０による撮影を開始してＬＣＤ表示部１０においてスルー画像を表示する。
【００２１】
次に、ＣＰＵ２０は、情報記憶部３７に記憶されている撮影開始条件の内容を表示するアイコンの画像データを読み出し、画像データに基づくアイコンをＬＣＤ表示部１０において表示する。例えば、図７（ｂ）に示すように、人物像が検出されたことを撮影開始条件とすることを示すアイコン５０、人物像の顔が正面を向いたことを撮影開始条件とすることを示すアイコン５２、及び人物像の顔が笑顔になったことを撮影開始条件とすることを示すアイコン５４をＬＣＤ表示部１０において表示する。
【００２２】
次に、撮影者Ａがタッチパネル２６の操作を行い、ＬＣＤ表示部１０において表示されているアイコンを移動させると、ＣＰＵ２０は、アイコンが移動した位置を含む領域を被写体像の変化を検出するための領域として指定する。例えば、図７（ｂ）に示すように、ＬＣＤ表示部１０において表示されているアイコン５０がドラッグアンドドロップされ、人物Ｂの人物像が表示されている位置の隣に移動した場合、ＣＰＵ２０は、アイコン５０が移動した位置を含む領域６０を被写体像の変化を検出するための領域として指定する。また、正面を向いていない人物Ｃ（図７（ａ）参照）の人物像がＬＣＤ表示部１０において表示されている位置にアイコン５２がドラッグアンドドロップされた場合、アイコン５２が移動した位置を含む領域６２を被写体像の変化を検出するための領域として指定する。同様に、笑顔でない人物Ｄ（図７（ａ）参照）の人物像が表示されている位置にアイコン５４がドラッグアンドドロップされた場合、アイコン５４が移動した位置を含む領域６４を被写体像の変化を検出するための領域として指定する。
【００２３】
次に、ＣＰＵ２０は、指定された領域に対して、ドラッグアンドドロップされたアイコンに表示されている撮影開始条件を関連付ける。例えば、領域６０に対して、領域６０において人物像が検出されたことを撮影開始条件として関連付ける。また、領域６２に対して、領域６２において表示されている人物像の顔が正面を向いたことを撮影開始条件として関連付ける。また、領域６４に対して、領域６４において表示されている人物像の顔が笑顔になったことを撮影開始条件として関連付ける。
【００２４】
指定された領域において関連付けられた撮影開始条件が満たされていない場合、ＣＰＵ２０は、撮影開始条件が満たされていないことを表示する「ＮＧ」という文字が表示されたＮＧアイコン６７の画像データを情報記憶部３７から読み出す。そして、図７（ｂ）に示すように、撮影開始条件が満たされていない領域においてＮＧアイコン６７を表示する。
【００２５】
次に、撮影者Ａによりシャッタボタン８が押下されると、ＣＰＵ２０は、指定された領域において被写体像の変化の検出を開始すると共に、セルフタイマーランプ３４を、例えば、１秒間に１回の周期で点滅させる。次に、ＣＰＵ２０は、指定された領域において関連付けられた撮影開始条件が満たされたか否かの判定を開始する。例えば、ＣＰＵ２０は、領域６０において人物像が検出されたか否かの判定を開始し、領域６２において人物Ｃの人物像の顔が正面を向いたか否かの判定を開始する。また、領域６４において人物Ｄの人物像の顔が笑顔になったか否かの判定を開始する。
【００２６】
次に、ＣＰＵ２０は、撮影開始条件が満たされる毎にセルフタイマーランプ３４の発光態様を変更する。例えば、図８（ａ）に示すように、撮影者Ａが電子カメラ２００から離れて人物Ｂの隣の位置Ｘに移動し、ＬＣＤ表示部１０の領域６０において撮影者Ａの人物像が表示されたとする（図８（ｂ）参照）。この場合、ＣＰＵ２０は、領域６０において関連付けられた撮影開始条件が満たされたと判定し、セルフタイマーランプ３４の点滅周期を１秒間に１回から１秒間に２回に変更する。また、撮影開始条件が満たされたことを表示する「ＯＫ」という文字が表示されたアイコン６８の画像データを情報記憶部３７から読み出し、図８（ｂ）に示すように、領域６０においてＯＫアイコン６８を表示する。
【００２７】
次に、図９（ａ）に示すように、人物Ｃの顔が正面を向き、図９（ｂ）に示すようなスルー画像がＬＣＤ表示部１０において表示されると、ＣＰＵ２０は、領域６２において関連付けられた撮影開始条件が満たされたと判定し、セルフタイマーランプ３４の点滅周期を１秒間に２回から１秒間に３回に変更する。また、領域６２においてＯＫアイコン６８を表示する（図９（ｂ）参照）。
【００２８】
次に、図１０（ａ）に示すように、人物Ｄの顔が笑顔になり、図１０（ｂ）に示すようなスルー画像がＬＣＤ表示部１０において表示されると、全ての領域において撮影開始条件が満たされる。この場合、ＣＰＵ２０は、セルフタイマーランプ３４を点滅状態から点灯状態に変更し、領域６４においてＯＫアイコン６８を表示する（図１０（ｂ）参照）。
【００２９】
全ての領域において撮影開始条件が満たされると、ＣＰＵ２０は、セルフタイマー３２を起動してタイマー時間のカウントを開始し、所定のタイマー時間（例えば３秒）の経過後に撮像素子３０により静止画像の撮影を行う。なお、静止画像の撮影後に行われる遠隔操作については、第１の実施の形態における処理と同様であるため説明を省略する。
【００３０】
この第２の実施の形態に係る電子カメラ２００によれば、ＬＣＤ表示部１０において表示されたアイコンを移動させることにより、一回のタッチ操作で領域を指定すると同時に指定した領域に対して撮影開始条件を関連付けることができる。また、全ての領域において撮影開始条件が満たされた場合にセルフタイマー撮影が行われるため、良好な集合写真を的確に撮影することができる。また、それぞれの領域において関連付けられた撮影開始条件が満たされる毎にセルフタイマーランプ３４の発光態様が変化するため、被写体となる人物に対して撮影が行われるタイミングを的確に認識させることができる。
【００３１】
なお、上述の実施の形態においては、指定された領域において撮影開始条件が満たされた場合にセルフタイマー撮影を行う場合を例に説明しているが、セルフタイマー３２を起動させずレリーズ指示の直後に静止画像の撮影を行うようにしてもよい。また、指定された領域において特定の動作変化を検出した場合においても、セルフタイマー３２を起動させずレリーズ指示の直後に静止画像の撮影を行うようにしてもよい。これにより、タイマー時間が経過する間に再び撮影開始条件が満たされない状態になることがなく、撮影開始条件が満たされた直後の状態において静止画像を撮影することができる。
【００３２】
また、上述の実施の形態において、音声の出力を行うスピーカを備え、撮影開始条件が満たされない場合に音声ガイドを行うようにしてもよい。例えば、図１１に示すように、
撮影者Ａの人物像がＬＣＤ表示部１０において領域７０内に表示されず、ＣＰＵ２０が領域７０において人物像を検出することができなかったとする。このような場合、スピーカにより「もう少し右側に移動してください。」等の音声を出力することにより、領域７０内に表示された人物像を検出できるように音声ガイドを行うようにしてもよい。また、被写体側から視認することのできるディスプレイを備え、ディスプレイにおいて音声ガイドの内容やセルフタイマー撮影が行われるまでの時間（例えば、秒数等）を表示するようにしてもよい。これにより、予定した位置に撮影者が表示された集合写真を的確に撮影することができる。
【００３３】
また、上述の実施の形態において、特定の人物の特徴に関する情報を記憶する特徴記憶部を備え、指定された領域において表示された人物像が特定の特徴を備えた人物の人物像である場合に撮影開始条件が満たされたか否かの判定を行うようにしてもよい。これにより、指定された領域において検出された人物像が特定の人物の人物像である場合にのみセルフタイマー撮影を行うことができる。
【００３４】
また、上述の実施の形態において、スルー画像の構図の変化に対応させて指定された領域を移動させるようにしてもよい。例えば、図１２（ａ）に示すようなスルー画像がＬＣＤ表示部１０において表示され、撮影者Ａにより領域７４が指定されたとする。ここで、電子カメラの位置が移動し、図１２（ｂ）に示すようにスルー画像が変化した場合において、スルー画像の構図の変化に対応させて領域７４を移動させるようにしてもよい。これにより、電子カメラを三脚に固定せずに撮影を行う場合においても、的確に領域の位置を設定することができる。なお、構図の変化の認識は、例えば、電子カメラにジャイロセンサ等を備えることにより行うようにしてもよい。
【００３５】
また、上述の実施の形態において、指定された領域のサイズを変更できるようにしてもよい。例えば、ズーム操作によりＬＣＤ表示部１０において表示されている人物像が拡大（縮小）された場合、拡大（縮小）された人物像に対応させて枠４２及び領域４４（図３（ｂ）参照）のサイズを大きな（小さな）サイズに変更するようにしてもよい。これにより、スルー画像の撮影中に画角の調整が行われた場合においても、指定された領域において人物像の検出等を正確に行うことができる。
【００３６】
また、第２の実施の形態において集合写真モードが設定された場合、ＣＰＵ２０は、撮影開始条件を満たさない人物像がＬＣＤ表示部１０において表示されているか否かを判定するようにしてもよい。例えば、正面を向いていない人物の人物像、及び笑顔でない人物の人物像がＬＣＤ表示部１０において表示されているか否かを判定するようにしてもよい。そして、正面を向いていない人物の人物像、及び笑顔でない人物の人物像がＬＣＤ表示部１０において表示されている場合、ＣＰＵ２０は、情報記憶部３７から人物像の顔が正面を向いたことを撮影開始条件とすることを示すアイコンの画像データ、及び人物像の顔が笑顔になったことを撮影開始条件とすることを示すアイコンの画像データを読み出し、これらの画像データに基づくアイコンをＬＣＤ表示部１０に表示するようにしてもよい。また、情報記憶部３７から画像データを読み出す際に、ＬＣＤ表示部１０において表示された頻度が高いアイコンの画像データを頻度順に所定の個数（例えば、３個）読み出し、画像データに基づくアイコンをＬＣＤ表示部１０に表示するようにしてもよい。これにより、良好な集合写真を撮影するために必要なアイコンを的確にＬＣＤ表示部１０において表示することができる。
【００３７】
また、第１の実施の形態において、上述した動作パターンに基づく遠隔操作以外の遠隔操作ができるようにしてもよい。例えば、図５（ｂ）において、ＬＣＤ表示部１０の領域４４に表示されている撮影者Ａの人物像が右手を上げた人物像に変化した場合、セルフタイマー３２の作動を中止させるようにしてもよい。また、図５（ｂ）において、ＬＣＤ表示部１０の領域４４に表示されている撮影者Ａの人物像が両手を合わせた人物像に変化した場合、人物像の検出を中止するようにしてもよい。
【００３８】
また、上述の実施の形態において、シャッタボタン８が押下されてから所定の時間（例えば、３秒間）を経過しても指定された領域において撮影開始条件が満たされない場合、ＣＰＵ２０は、指定された領域における人物像の検出等を中止するようにしてもよい。また、強制的にセルフタイマー撮影を開始するようにしてもよい。
【００３９】
また、上述の実施の形態においては、撮像装置について電子カメラを例に説明したが、表示部において指定された領域で所定の条件が満たされた場合に撮影を実行する機能を備えていれば、携帯電話等、他の電子機器においても本発明を適用することができる。
【００４０】
また、上述の実施の形態においては、タッチパネルの操作により領域を指定しているが、ボタン操作等により領域を指定するようにしてもよい。
【符号の説明】
【００４１】
２…電子カメラ、４…筐体、６…撮影レンズ、８…シャッタボタン、１０…ＬＣＤ表示部、２０…ＣＰＵ、２２…操作部、２４…表示制御部、２６…タッチパネル、３０…撮像素子、３２…セルフタイマー、３４…セルフタイマーランプ、３６…記憶部、３７…情報記憶部、３８…メモリカード
【図１】
2013214882.tif 000003
【図２】
2013214882.tif 000004
【図３】
2013214882.tif 000005
【図４】
2013214882.tif 000006
【図５】
2013214882.tif 000007
【図６】
2013214882.tif 000008
【図７】
2013214882.tif 000009
【図８】
2013214882.tif 000010
【図９】
2013214882.tif 000011
【図１０】
2013214882.tif 000012
【図１１】
2013214882.tif 000013
【図１２】
2013214882.tif 000014